(57)【要約】【課題】            付け鴨居に容易且つ確実に装着でき、多数の洋服ハンガーを整然と吊下げ保持できるハンガー吊り下げ用ホルダーを提供する。【解決手段】        ハンガー吊り下げ用ホルダー１を、付け鴨居Ｔの上面部に刺し込み可能な刺し込み係止部３をもつ頂片部４と、付け鴨居Ｔの側面部の外側に配される上片部５と、付け鴨居Ｔの下方位置の垂直壁面Ｗに押し当てられる当接面部７を有する下片部６を一体的に形成した装着部材２と、前記下片部６の外側面に長尺の棒状部材から成るハンガー吊下げ杆１３を略水平の吊り下げ位置と起立した位置とに折り畳み可能に取り付けたハンガー吊下げ支持部材１０とで構成した。【選択図】          図１
2010088744.tif 000002
【特許請求の範囲】
【請求項１】
垂直壁面に横方向に突設された断面略四角形状の横木材である付け鴨居に装着されるハンガー吊り下げ用ホルダーであり、このホルダーは、該ホルダーを前記付け鴨居に脱着自在に装着する装着部材と、この装着部材に取り付けられたハンガー吊下げ支持部材とから成り、前記装着部材は、前記付け鴨居の上面部に刺し込み可能な尖鋭端部を下方向に向けて形成した刺し込み係止部をもつ頂片部と、この頂片部と一体的に形成され、前記付け鴨居の側面部の外側に配される上片部と、この上片部の下部に延設され、前記付け鴨居の下方位置の前記垂直壁面に押し当てられる当接面部を内側面に有する下片部を一体的に形成して構成し、前記ハンガー吊下げ支持部材を、前記下片部の外側面に突設したブラケット部と、このブラケット部に軸部を介して上下方向に移動自在に枢着された長尺の棒状部材から成るハンガー吊下げ杆で構成し、前記ハンガー吊下げ杆を、前記ブラケット部に形成したストッパー片部で該ハンガー吊下げ杆の先端部側が略水平位置を超えた下方向への移動を係止される略水平状態の吊り下げ位置と前記上片部の外側面で係止される起立状態の折り畳み位置との間を上下方向に移動可能に構成したことを特徴とするハンガー吊り下げ用ホルダー。
【請求項２】
垂直壁面に横方向に突設された断面略四角形状の横木材である付け鴨居に装着されるハンガー吊り下げ用ホルダーであり、このホルダーは、該ホルダーを前記付け鴨居に脱着自在に装着する装着部材と、この装着部材に取り付けられたハンガー吊下げ支持部材とから成り、前記装着部材は、前記付け鴨居の上面部に刺し込み可能な尖鋭端部を下方向に向けて形成した刺し込み係止部をもつ頂片部と、この頂片部と一体的に形成され、前記付け鴨居の側面部の外側に配される上片部と、この上片部の下部に延設され、前記付け鴨居の下方位置の前記垂直壁面に押し当てられる当接面部を内側面に有する下片部を一体的に形成して構成し、前記ハンガー吊下げ支持部材を、前記上片部又は前記下片部の外側面に長尺の棒状部材から成るハンガー吊下げ杆を前記垂直壁面に対して直交方向に延びる略水平の固定状態に取り付けて構成したことを特徴とするハンガー吊り下げ用ホルダー。
【請求項３】
下方を開放した木製の鴨居の垂直壁面から突出した断面略四角形状の突出部に装着されるハンガー吊り下げ用ホルダーであり、このホルダーは、該ホルダーを前記鴨居に脱着自在に装着する装着部材と、この装着部材に取り付けられたハンガー吊下げ支持部材とから成り、前記装着部材は、前記鴨居の突出部の上面部に刺し込み可能な尖鋭端部を下方向に向けて形成した刺し込み係止部をもつ頂片部と、この頂片部と一体的に形成され、前記鴨居の突出部の側面部の外側に配される上片部と、この上片部の下部に延設され、前記鴨居の下方の開放位置まで延設された下片部を一体的に形成して成り、前記ハンガー吊下げ支持部材を、前記下片部の両側面に前記刺し込み係止部を支点として重さバランスの釣り合う吊り下げ杆をそれぞれ固定状態に取り付けて構成したことを特徴とするハンガー吊り下げ用ホルダー。
【発明の詳細な説明】
【技術分野】
【０００１】
本発明は、付け鴨居又は鴨居に容易且つ確実に装着でき、多数の洋服ハンガーを整然と吊下げ保持できるハンガーの吊り下げ用ホルダーに関する。
【背景技術】
【０００２】
部屋の付け鴨居又は鴨居の上面部を洋服のハンガー掛けとして用いることがある。付け鴨居とは、建具の入らない垂直壁面に、鴨居の高さ位置に揃えて横方向に突設された断面略四角形状の装飾的な横木部材のことを言う。また、鴨居とは、障子や襖などの引き戸をはめるもので、この鴨居には該鴨居の上部の垂直壁面から突出した断面略四角形状の突出部を有している。すなわち、付け鴨居は該鴨居の上下部方向に垂直壁面を有する構造であり、鴨居は該鴨居の上部方向のみに垂直壁面を有し、該鴨居の下部方向を開放可能とした構造である。この付け鴨居及び鴨居（鴨居の突出部）の上面部は水平の平面で、しかも上面部の奥行きは一般的に約５ｍｍから１０ｍｍで狭いため、この付け鴨居又は鴨居（鴨居の突出部）に掛けたハンガーは付け鴨居又は鴨居から外れやすく落下してしまう。また、付け鴨居又は鴨居に多数のハンガーを横方向に並べて掛けると美観的にも好ましくない。
【０００３】
従来、付け鴨居又は鴨居に装着するハンガー吊り下げ用ホルダーとしては、例えば、付け鴨居又は鴨居（鴨居の突出部）の側面部（垂直面部）にねじ込む差し込みネジ部を有する略Ｕ字状の掛けフックが多く用いられている。この掛けフックは、付け鴨居又は鴨居（鴨居の突出部）の垂直面部に該フックの差し込みネジ部をねじ込んで取付けられるため、付け鴨居又は鴨居への装着が容易ではなく、しかもこの掛けフックを取り外した際に、付け鴨居又は鴨居の前面にネジ部のねじ込み痕が残る弊害がある。さらに、略Ｕ字状の掛けフックでは、多数の洋服ハンガーを整然と吊下げ保持できない。
【発明の開示】
【発明が解決しようとする課題】
【０００４】
このような実情に鑑み、本発明は、付け鴨居又は鴨居に容易且つ確実に装着でき、多数の洋服ハンガーを整然と吊下げ保持できるハンガーの吊り下げ用ホルダーを提供しようとするものである。そして、付け鴨居又は鴨居に装着したホルダーを当該付け鴨居又は鴨居から外した際に、当該付け鴨居又は鴨居に残されるホルダーの装着痕を小さく且つ通常の視角から外れた隠れた部位に限定できる吊り下げ用ホルダーを提供しようとするものである。
【課題を解決するための手段】
【０００５】
上記の課題を解決するため、本発明は、垂直壁面に横方向に突設された断面略四角形状の横木材である付け鴨居に装着されるハンガー吊り下げ用ホルダーであり、このホルダーは、該ホルダーを前記付け鴨居に脱着自在に装着する装着部材と、この装着部材に取り付けられたハンガー吊下げ支持部材とから成り、前記装着部材は、前記付け鴨居の上面部に刺し込み可能な尖鋭端部を下方向に向けて形成した刺し込み係止部をもつ頂片部と、この頂片部と一体的に形成され、前記付け鴨居の側面部の外側に配される上片部と、この上片部の下部に延設され、前記付け鴨居の下方位置の前記垂直壁面に押し当てられる当接面部を内側面に有する下片部を一体的に形成して構成し、前記ハンガー吊下げ支持部材を、前記下片部の外側面に突設したブラケット部と、このブラケット部に軸部を介して上下方向に移動自在に枢着された長尺の棒状部材から成るハンガー吊下げ杆で構成し、前記ハンガー吊下げ杆を、前記ブラケット部に形成したストッパー片部で該ハンガー吊下げ杆の先端部側が略水平位置を超えた下方向への移動を係止される略水平状態の吊り下げ位置と前記上片部の外側面で係止される起立状態の折り畳み位置との間を上下方向に移動可能に構成したことを特徴とするハンガー吊り下げ用ホルダーを提供する。
【０００６】
また、上記の課題を解決するため、本発明は、垂直壁面に横方向に突設された断面略四角形状の横木材である付け鴨居に装着されるハンガー吊り下げ用ホルダーであり、このホルダーは、該ホルダーを前記付け鴨居に脱着自在に装着する装着部材と、この装着部材に取り付けられたハンガー吊下げ支持部材とから成り、前記装着部材は、前記付け鴨居の上面部に刺し込み可能な尖鋭端部を下方向に向けて形成した刺し込み係止部をもつ頂片部と、この頂片部と一体的に形成され、前記付け鴨居の側面部の外側に配される上片部と、この上片部の下部に延設され、前記付け鴨居の下方位置の前記垂直壁面に押し当てられる当接面部を内側面に有する下片部を一体的に形成して構成し、前記ハンガー吊下げ支持部材を、前記上片部又は前記下片部の外側面に長尺の棒状部材から成るハンガー吊下げ杆を前記垂直壁面に対して直交方向に延びる略水平の固定状態に取り付けて構成したことを特徴とするハンガー吊り下げ用ホルダーを提供する。
【０００７】
また、上記の課題を解決するため、本発明は、下方を開放した木製の鴨居の垂直壁面から突出した断面略四角形状の突出部に装着されるハンガー吊り下げ用ホルダーであり、このホルダーは、該ホルダーを前記鴨居に脱着自在に装着する装着部材と、この装着部材に取り付けられたハンガー吊下げ支持部材とから成り、前記装着部材は、前記鴨居の突出部の上面部に刺し込み可能な尖鋭端部を下方向に向けて形成した刺し込み係止部をもつ頂片部と、この頂片部と一体的に形成され、前記鴨居の突出部の側面部の外側に配される上片部と、この上片部の下部に延設され、前記鴨居の下方の開放位置まで延設された下片部を一体的に形成して成り、前記ハンガー吊下げ支持部材を、前記下片部の両側面に前記刺し込み係止部を支点として重さバランスの釣り合う吊り下げ杆をそれぞれ固定状態に取り付けて構成したことを特徴とするハンガー吊り下げ用ホルダーを提供する。
【発明の効果】
【０００８】
付け鴨居に装着して用いる本発明に係るハンガー吊り下げ用ホルダーによれば、このホルダーを付け鴨居に容易且つ確実に装着でき、多数の洋服ハンガーを整然と吊下げ保持できる。しかも、付け鴨居に装着したホルダーを付け鴨居から外した際に、付け鴨居に残されるホルダーの装着痕が小さく且つ装着痕が付け鴨居の上面部に限定され通常の視角から外れ見えない。
【０００９】
また、鴨居に装着して用いる本発明に係るハンガー吊り下げ用ホルダーによれば、このホルダーを鴨居に容易に装着でき、多数の洋服ハンガーを整然と吊下げ保持できる。しかも、鴨居に装着したホルダーを鴨居から外した際に、鴨居に残されるホルダーの装着痕が小さく且つ装着痕が鴨居の上面部に限定され通常の視角から外れ見えない。
【発明を実施するための最良の形態】
【００１０】
以下、本発明の実施形態を図面に基づいて説明する。図１〜図３は付け鴨居に装着して用いるハンガー吊り下げ用ホルダーであり、図１及び図２はハンガー吊下げ杆を折り畳み可能とした実施形態を、図３はハンガー吊下げ杆を固定した実施形態を、示している。図１から図３において、符号Ｔは垂直壁面Ｗに横方向に突設された断面略四角形状の横木材である付け鴨居を示し、符号Ｈはハンガー（洋服ハンガー）を示している。
【００１１】
先ず、図１及び図２に示したハンガー吊り下げ用ホルダー１について説明する。このハンガー吊り下げ用ホルダー１は、該ホルダー１を前記付け鴨居Ｔに脱着自在に装着する装着部材２と、この装着部材２に取り付けられたハンガー吊下げ支持部材１０とから成っている。この実施形態においては、ハンガー吊り下げ用ホルダー１を比較的硬質な金属材で構成してある。しかし、ハンガー吊り下げ用ホルダー１を比較的硬質なプラスチック材で構成することを除外するものではない。
【００１２】
前記装着部材２は、前記付け鴨居Ｔの上面部に刺し込み可能な爪状の尖鋭端部を下方向に向けて折り曲げ形成したＶ字形状の刺し込み係止部３を先端側にもつ頂片部４と、この頂片部４と一体的に形成され、前記付け鴨居Ｔの側面部（垂直面部）の外側に離間して配される上片部５と、この上片部５の下部に延設され、前記付け鴨居Ｔの下方位置の前記垂直壁面Ｗに押し当てられる当接面部７を内側面に有する下片部６とを縦に長い長方形の金属板を折り曲げて一体的に形成して構成されている。
【００１３】
図示の実施形態では、前記刺し込み係止部３を、爪状の尖鋭端部を下方向に向けて折り曲げ形成したＶ字形状のものとしている。この実施形態の刺し込み係止部３は、奥行きが狭い付け鴨居Ｔの上面部にも容易に刺し込みでき、しかも形成が容易である。
【００１４】
前記上片部５の縦方向の長さは、側面部（垂直面部）の縦幅寸法を比較的長めに形成してある付け鴨居Ｔに合わせて長めに形成し、前記付け鴨居Ｔの側面部（垂直面部）の縦幅寸法の長短に対処できるように形成してある。側面部（垂直面部）の縦幅の長さ寸法を比較的短めに形成した図示の付け鴨居Ｔでは、付け鴨居Ｔの側面部（垂直面部）の縦幅長さを超えて上片部５の縦方向の長さが長く形成されている。
【００１５】
前記ハンガー吊下げ支持部材１０を、前記下片部６の外側面に突設したブラケット部１１と、このブラケット部１１に軸部１２を介して上下方向に移動自在に枢着された長尺の丸棒状部材から成るハンガー吊下げ杆１３で構成し、前記ハンガー吊下げ杆１３を、前記ブラケット部１１に形成したストッパー片部１４で該ハンガー吊下げ杆１３の先端部側が略水平位置を超えた下方向への移動を係止される図１に実線で示した略水平状態の吊り下げ位置と前記上片部５の外側面で係止される図１に二点鎖線で示した起立状態の折り畳み位置との間を上下方向に移動可能に構成してある。
【００１６】
長尺の丸棒状部材から成るハンガー吊下げ杆１３の先端側には、この吊下げ杆１３が略水平状態の吊り下げ位置におかれた際、その先端側を上方に向け略直角に折り曲げ形成したハンガー移動防止部１５が形成されている。このハンガー移動防止部１５で吊下げ杆１３からハンガーが脱落するのを防止している。
【００１７】
前記ブラケット部１１は、垂直片から成る一対のブラケット片が間隔を空けて対峙され、このブラケット片の間にハンガー吊下げ杆１３の棒状基端部が軸部（軸ピン）１２を介して連結され、軸部１２を中心にしてハンガー吊下げ杆１３の先端部側が上下方向に移動自在に連結され、且つ、前記ブラケット片間に架けて形成した前記ストッパー片部１４によって、軸部１２を中心にしてハンガー吊下げ杆１３の棒状基端部側が該基端部の上方向への一定以上の回動を止められ、ハンガー吊下げ杆１３の先端部側が水平位置を超えた下方向に移動しないように係止されるようにしてある。
【００１８】
前記ハンガー吊下げ杆１３は、長尺の丸棒状部材に沿って多数（例えば、５本から８本）のハンガーを吊り下げ支持できるように長く形成してあり、図示した実施形態では前記ブラケット部１１とハンガー移動防止部１５との間の長さを約１５ｃｍ〜１８ｃｍに形成してある。
【００１９】
このハンガー吊り下げ用ホルダー１を付け鴨居Ｔに装着するには、前記装着部材２の前記刺し込み係止部３を前記付け鴨居Ｔの上面部上に位置させ、下片部６の当接面部７を前記付け鴨居Ｔの下方位置の前記垂直壁面Ｗに押し当てながら、前記刺し込み係止部３の尖鋭端部を前記付け鴨居Ｔの上面部に刺し込めば、装着を完了する。このように、ハンガー吊り下げ用ホルダー１を付け鴨居Ｔに簡単に装着でき、しかも確実に装着できる。そして、ハンガーを吊り下げる使用時には、前記ハンガー吊下げ杆１３を略水平状態の吊り下げ位置にセットし、このハンガー吊下げ杆１３に図１に示した如く多数のハンガーＨを吊下げる。ハンガーを吊り下げない不使用時には、前記ハンガー吊下げ杆１３を、前記上片部５の外側面で係止される起立状態の折り畳み位置に移動させておく。
【００２０】
略水平状態の前記ハンガー吊下げ杆１３に多数のハンガーを吊下げ支持した場合、この吊下げ杆１３に吊り下げた多数のハンガーＨ（及びハンガーに掛けられた洋服）の荷重は、前記付け鴨居Ｔの上面部に刺し込んだ前記刺し込み係止部３と前記垂直壁面Ｗに押し当てられる下片部６の当接面部７とで効果的に支えることができる。
【００２１】
また、装着されたハンガー吊り下げ用ホルダー１を付け鴨居Ｔから取り外すには、前記付け鴨居Ｔの上面部に刺し込まれている刺し込み係止部３の尖鋭端部を前記付け鴨居Ｔの上面部から抜くことにより、簡単に取り外すことがでる。そして、取り外したホルダー１の前記ハンガー吊下げ杆１３を折り畳み位置に移動させておけば、ホルダー１をコンパクトな形態にでき、収納が容易である。なお、ホルダー１をコンパクトな形態に折り畳めることは、ホルダー１の販売流通においても大きな利点となる。
【００２２】
次に、図３に示したハンガー吊り下げ用ホルダー１について説明する。このハンガー吊り下げ用ホルダー１も、該ホルダー１を前記付け鴨居Ｔに脱着自在に装着する装着部材２と、この装着部材２に取り付けられたハンガー吊下げ支持部材１０とから成っている。この実施形態のハンガー吊り下げ用ホルダー１も比較的硬質な金属材で構成してある。そして、前記した実施形態と同様に、この実施形態のハンガー吊り下げ用ホルダー１も主要な構成部分を比較的硬質なプラスチック材で構成することを除外するものではない。
【００２３】
この実施形態の前記装着部材２は、前記した図１及び図２の実施形態で説明した装着部材２と実質的に同じであるため、同一符号で示した構成の説明、及び付け鴨居Ｔへ装着及び付け鴨居Ｔからの取り外しについての説明は省略する。
【００２４】
この実施形態の前記ハンガー吊下げ支持部材１０は、前記装着部材２の上片部５の下方位置の外側面に長尺の丸棒状部材から成るハンガー吊下げ杆１３を前記垂直壁面Ｗに対して直交方向に延びる略水平の固定状態に取り付けて構成してある。
【００２５】
図３の実施例においては、ハンガー吊下げ杆１３の棒状の基端部を装着部材２の上片部５の下方位置に形成した取付け穴から背面側に突出し、この基端部に形成してある雄ネジ部を背面側から平ワッシャを介してナット１６で締結し固定している。この固着手段によれば、ハンガー吊り下げ用ホルダー１を必要に応じて組立て分解（装着部材２とハンガー吊下げ支持部材１０に）することが可能である。ただし、固着手段としては、前述したものに限定されず、溶接等の固着手段を除外するものではない。なお、装着部材２の外側面に溶接によってハンガー吊下げ杆１３の棒状の基端部を固定する場合は、装着部材２の背面側へハンガー吊下げ杆１３の棒状の基端部が突出されないため、装着部材２への固定位置は、前述した装着部材２の上片部５の外側面の他、下片部６の外側面への固定取付けも可能である。
【００２６】
図４は鴨居に装着して用いるハンガー吊り下げ用ホルダーを示している。図４において、符号Ｋは下方を開放した木製の鴨居を示し、この鴨居Ｋには該鴨居の上部の垂直壁面Ｗから突出した断面略四角形状の突出部Ｋａを有している。
【００２７】
このハンガー吊り下げ用ホルダー２０は、該ホルダーを前記鴨居Ｋの突出部Ｋａに脱着自在に装着する装着部材２１と、この装着部材２１に取り付けられたハンガー吊下げ支持部材３０とから成っている。
【００２８】
前記装着部材２１は、前記鴨居Ｋの突出部Ｋａの上面部に刺し込み可能な爪状の尖鋭端部を下方向に向けて折り曲げ形成したＶ字形状の刺し込み係止部２２をもつ頂片部２３と、この頂片部２３と一体的に形成され、前記鴨居Ｋの突出部Ｋａの側面部（垂直面部）の外側に離間して配される上片部２４と、この上片部２４の下部に延設され、前記鴨居Ｋの下方の開放位置まで延設された下片部２５とを縦に長い長方形の金属片を折り曲げて一体的に形成して構成されている。なお、この装着部材２１は、図１〜図３に示した実施形態の装着部材２と実質的に同じ形状にしてあり、これによってタイプの異なるホルダーの製造コストを軽減できるようにしている。
【００２９】
そして、前記ハンガー吊下げ支持部材３０を、前記下片部２５の両側面に前記刺し込み係止部２２を支点として重さバランスの釣り合う棒状の吊り下げ杆３１をそれぞれ固定状態に取り付けて構成してある。
【００３０】
この実施形態の前記吊り下げ杆３１は、前記刺し込み係止部２２の刺し込み方向に対して直交方向に延びる棒状の支持部３２（該支持部でハンガーを吊下げ支持できる）と、該吊り下げ杆３１の先端側を上方に向け略直角に折り曲げ形成したハンガー移動防止部３３をもち、一対の前記支持部３２でハンガーを吊り下げ支持するようにしている。
【００３１】
このハンガー吊り下げ用ホルダー２０は、前記刺し込み係止部２２の尖鋭端部を前記鴨居Ｋの突出部Ｋａの上面部に刺し込めば、装着を完了し、また、前記鴨居Ｋの突出部Ｋａの上面部に刺し込まれている刺し込み係止部２２の尖鋭端部を鴨居Ｋの突出部Ｋａの上面部から抜くことにより、簡単に取り外すことがでる。
【００３２】
鴨居に装着して用いるこのハンガー吊り下げ用ホルダー２０は、洗濯物の部屋干しに最適である。
【図面の簡単な説明】
【００３３】
【図１】本発明の実施例を示す側面図である。
【図２】図１のＡ−Ａ矢視線による一部縦断した正面図である。
【図３】本発明の他の実施例を示す側面図である。
【図４】本発明の他の実施例を示す側面図である。
【符号の説明】
【００３４】
Ｔ  付け鴨居
Ｗ  垂直壁面
Ｈ  ハンガー（洋服ハンガー）
１  ハンガー吊り下げ用ホルダー
２  装着部材
３  刺し込み係止部
４  頂片部
５  上片部
６  下片部
７  当接面部
１０  ハンガー吊下げ支持部材
１１  ブラケット部
１２  軸部
１３  ハンガー吊下げ杆
１４  ストッパー片部
１５  ハンガー移動防止部
１６  ナット
Ｋ  鴨居
Ｋａ  鴨居の突出部
２０  ハンガー吊り下げ用ホルダー
２１  装着部材
２２  刺し込み係止部
２３  頂片部
２４  上片部
２５  下片部
３０  ハンガー吊下げ支持部材
３１  吊り下げ杆
３２  支持部
３３  ハンガー移動防止部
【図１】
2010088744.tif 000003
【図２】
2010088744.tif 000004
【図３】
2010088744.tif 000005
【図４】
2010088744.tif 000006